(57)【要約】【課題】表示パネルの表示面が既に２分割されている場合に、更に分割数を増やすことが可能な携帯端末を提供する。【解決手段】携帯端末は、タッチパッド付きの表示面を有する表示パネルを備え、前記表示面を第１の境界線で２分割してなる２つの表示領域のそれぞれを対象として、画像の表示に係る制御を行っている場合に、前記タッチパッド上で接触が行われると、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定める。【選択図】図３
2015165441.tif 000002
【特許請求の範囲】
【請求項１】
タッチパッド付きの表示面を有する表示パネルと、
前記タッチパッドに対する接触操作に応じて、前記表示面を分割してなる複数の表示領域を定める領域管理部と、
前記表示面を分割してなる表示領域毎に、画像の表示に係る制御を行う表示制御部とを備え、
前記領域管理部は、
前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定め、
前記表示制御部は、
前記対象領域が一の機能に係る画像の表示を行う領域である場合に、前記第１の表示領域と前記第２の表示領域との双方を、当該一の機能に係る画像の表示を行う領域であると定めて前記制御を行う
ことを特徴とする携帯端末。
【請求項２】
前記表示面は略矩形状であり、
前記第１の境界線は、前記表示面のいずれかの１辺に対する垂線であり、
前記領域管理部は、
前記第１の境界線に対する垂線を前記第２の境界線として決定する
ことを特徴とする請求項１記載の携帯端末。
【請求項３】
前記領域管理部は、
前記タッチパッド上の接触位置が変化した場合に、当該接触位置の軌跡上において、前記第１の境界線に対する垂線の方向に、当該第１の境界線に対向する前記表示面の一辺から当該第１の境界線までの線分長に対して所定割合となる第１距離以上離れた２点が含ま
れる表示領域を、前記対象領域とする
ことを特徴とする請求項２記載の携帯端末。
【請求項４】
前記領域管理部は、
前記第１の境界線から当該第１の境界線に対向する前記表示面の辺が存在する方向に第２距離内の点及び当該辺から第３距離内の点を、前記第１距離以上離れた２点とする
ことを特徴とする請求項３記載の携帯端末。
【請求項５】
前記領域管理部は、更に
前記タッチパッド上の接触位置の軌跡上において、前記第１の境界線に対する垂線の方向に、当該第１の境界線に対向する前記表示面の一辺から、当該一辺に対向する前記表示面の他辺までの線分長に対して所定割合となる、前記第１距離よりも長い距離以上離れた２点が含まれる場合に、前記表示面を第１の境界線で２分割してなる２つの表示領域のうち、前記対象領域とは異なる表示領域に替えて、当該表示領域を前記第２の境界線で２分割してなる２つの領域を第３及び第４の表示領域と定める
ことを特徴とする請求項３記載の携帯端末。
【請求項６】
前記領域管理部は、更に
前記第１及び第２の表示領域を定めた後において、前記タッチパッドにより検出された接触位置が、前記第２の境界線の少なくとも一部をなぞるように変化した場合に、当該第１及び第２の表示領域に替えて、当該第１及び第２の表示領域を結合した領域を１つの表示領域と定める
ことを特徴とする請求項２記載の携帯端末。
【請求項７】
前記表示制御部は、更に
前記第１の境界線を前記表示パネルに表示させ、
前記領域管理部が、前記第１及び第２の表示領域を定めた際に、前記第２の境界線を前記表示パネルに表示させる
ことを特徴とする請求項１記載の携帯端末。
【請求項８】
前記表示制御部は、更に
前記領域管理部が、前記第１及び第２の表示領域を結合した領域を１つの表示領域と定めた際に、表示させていた前記第２の境界線の表示を前記表示パネルに表示させないようにする
ことを特徴とする請求項６記載の携帯端末。
【請求項９】
前記表示制御部は、
前記領域管理部が、前記第１及び第２の表示領域を定めた際に、その直前に、前記対象領域に表示させていた画像の一部又は全体を、前記第１及び第２の表示領域それぞれに表示させるよう前記制御を行う
ことを特徴とする請求項２記載の携帯端末。
【請求項１０】
前記表示制御部は、
前記領域管理部が、前記第１及び第２の表示領域を定めた際に、その直前に、前記対象領域に表示させていた画像の一部又は全部を、前記第１の表示領域に表示させ、前記対象領域に表示させていた画像に関連する画像を、前記第２の表示領域に表示させる
ことを特徴とする請求項２記載の携帯端末。
【請求項１１】
前記表示制御部は、
前記領域管理部が、前記第１及び第２の表示領域を定めた後に、当該第１及び第２の表
示領域のうちの一方の表示領域内の点から、前記第１の境界線に対する垂線の方向に、当該第１の境界線に対向する前記表示面の一辺から当該第１の境界線までの線分長に対して所定割合となる第１距離未満離れた他方の表示領域内の点まで、前記タッチパッド上の接触位置が変化した場合に、当該変化前に、当該第１及び第２の表示領域に表示させていた画像を、当該変化後に入れ替えて表示させるよう前記制御を行う
ことを特徴とする請求項９又は１０記載の携帯端末。
【請求項１２】
タッチパッド付きの表示面を有する表示パネルを備える携帯端末における制御方法であって、
前記タッチパッドに対する接触操作に応じて、前記表示面を分割してなる複数の表示領域を定める領域管理ステップと、
前記表示面を分割してなる表示領域毎に、画像の表示に係る制御を行う表示制御ステップとを含み、
前記領域管理ステップは、
前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定め、
前記表示制御ステップは、
前記対象領域が一の機能に係る画像の表示を行う領域である場合に、前記第１の表示領域と前記第２の表示領域との双方を、当該一の機能に係る画像の表示を行う領域であると定めて前記制御を行う
ことを特徴とする制御方法。
【請求項１３】
タッチパッド付きの表示面を有する表示パネルを備える携帯端末におけるプロセッサに、制御処理を行わせるためのプログラムであって、
前記制御処理は、
前記タッチパッドに対する接触操作に応じて、前記表示面を分割してなる複数の表示領域を定める領域管理ステップと、
前記表示面を分割してなる表示領域毎に、画像の表示に係る制御を行う表示制御ステップとを含み、
前記領域管理ステップは、
前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定め、
前記表示制御ステップは、
前記対象領域が一の機能に係る画像の表示を行う領域である場合に、前記第１の表示領域と前記第２の表示領域との双方を、当該一の機能に係る画像の表示を行う領域であると定めて前記制御を行う
ことを特徴とするプログラム。
【請求項１４】
前記表示制御部は、更に、
前記第１の表示領域にアイコンが表示されている場合において、当該アイコンの表示領域に対応する前記タッチパッド上の領域に対して接触操作がなされたときに、前記第２の表示領域を、当該アイコンに関連付けられた機能に係る画像の表示を行う領域であると新
たに定めて前記制御を行う
ことを特徴とする請求項１記載の携帯端末。
【発明の詳細な説明】
【技術分野】
【０００１】
本発明は、タッチパッド付きの表示パネルを有する携帯電話機等の携帯端末に関し、特に、ユーザインタフェースの改良に関する。
【背景技術】
【０００２】
携帯電話機等の携帯端末において、表示パネルの表示面を、画像表示に係る制御を行う単位である複数の表示領域に分割する技術が知られている（例えば、特許文献１、２）。
特許文献１に係る技術は、タッチパッド付きの表示パネル上で、ユーザが、画面上の左端にあるアイコンを横方向に右端までドラッグ操作することで、上下２つの表示領域に分割し、各表示領域に、１日の予定表と１週間の予定表等、互いに時間単位の異なる予定表を表示するというものである。
【０００３】
また、特許文献２に係る技術は、テレビ受像機の表示画面を、予め定められた位置で３つの表示領域に分割し、表示領域毎に異なる画像（２つの異なる番組の映像とウェブ画面等）を表示するというものである。
これらの技術によれば、ユーザは、表示対象の画像を切り替える操作を行うことなく、各表示領域に表示されている画像を同時に見ることが可能になる。
【先行技術文献】
【特許文献】
【０００４】
【特許文献１】特開平９−１３４２７０号公報
【特許文献２】特開２００８−２８７８５号公報
【発明の概要】
【発明が解決しようとする課題】
【０００５】
近年では、比較的大きな画面サイズの携帯端末も登場しており、より多くの表示領域に分割し、各表示領域に表示された画像を同時に見ることができることは、有用だと考えられる。
そこで、本発明は更なるユーザの利便性を追及し、表示パネルの表示面が既に２分割されている場合に、更に分割数を増やすことが可能な携帯端末を提供することを目的とする。
【課題を解決するための手段】
【０００６】
上記課題を解決するために、本発明に係る携帯端末は、タッチパッド付きの表示面を有する表示パネルと、前記タッチパッドに対する接触操作に応じて、前記表示面を分割してなる複数の表示領域を定める領域管理部と、前記表示面を分割してなる表示領域毎に、画像の表示に係る制御を行う表示制御部とを備え、前記領域管理部は、前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定めることを特徴とする。
【発明の効果】
【０００７】
上記構成を備える本発明に係る携帯端末によれば、表示パネルの表示面が既に２分割されている場合に、更に分割数を増やすことができる。
【図面の簡単な説明】
【０００８】
【図１】実施の形態に係る携帯電話機１００の外観を示す正面図
【図２】表示パネル１１０の表示面を複数の表示領域に分割する際の分割操作の例及び表示パネル１１０の表示例を示す図
【図３】表示領域Ａ２を、２つの表示領域に分割する際の分割操作の例及び表示パネル１１０の表示例を示す図
【図４】表示領域Ａ１を、２つの表示領域に分割する際の分割操作の例及び表示パネル１１０の表示例を示す図
【図５】表示領域Ａ１及びＡ２それぞれを、２つの表示領域に分割する際の分割操作の例及び表示パネル１１０の表示例を示す図
【図６】表示領域Ａ５及びＡ６を、１つの表示領域に結合する際の結合操作の例及び表示パネル１１０の表示例を示す図
【図７】携帯電話機１００の主要部の機能構成を示すブロック図
【図８】領域管理テーブル１０のデータ構成及び内容例と、２つの表示領域の例を示す図
【図９】３つの表示領域が定められている場合の領域管理テーブル１０の内容例を示す図
【図１０】境界線管理テーブル２０のデータ構成及び内容例を示す図
【図１１】各表示領域の各縁部を説明するための図
【図１２】携帯電話機１００の制御処理を示すフローチャート
【図１３】携帯電話機１００の分割処理を示すフローチャート
【図１４】携帯電話機１００の結合処理を示すフローチャート
【図１５】４つの表示領域が定められている場合の領域管理テーブル１０及び境界線管理テーブル２０の内容例を示す図
【発明を実施するための形態】
【０００９】
以下、本発明に係る携帯端末の一実施形態としての携帯電話機について説明する。
≪実施の形態≫
＜１．概要＞
図１は、実施の形態に係る携帯電話機１００の外観を示す正面図である。
携帯電話機１００は、同図に示すように、筐体１に、タッチパッド付きの表示パネル１１０を備える端末である。
【００１０】
携帯電話機１００は、ユーザがタッチパッド上で所定の操作を行うことで、表示パネル１１０の表示面を複数の表示領域に分割し、また、複数の表示領域を結合できるようにしたものである。
ここで、表示領域とは、携帯電話機１００が、画像の表示に係る制御を行う単位をいう。
【００１１】
即ち、携帯電話機１００によれば、表示パネル１１０の表示面を、ユーザの好みの位置及び数の表示領域に分割して、各表示領域に、例えば複数のアプリケーションに係る画像を同時に表示させることが可能になる。
これにより、ユーザは、所望のアプリケーションに係る画像に表示を切り替える操作をしなくても、そのアプリケーションに係る画像を見ることが可能になる。また、ユーザは、一のアプリケーションに係る画像を見ながら、他のアプリケーションに対する操作を行うことが可能になる。
【００１２】
なお、以下では、表示パネル１１０の表示面を複数の表示領域に分割するユーザ操作を「分割操作」ともいい、複数の表示領域を結合するユーザ操作を「結合操作」ともいう。
＜２．ユーザインタフェース仕様＞
次に、図２〜図５を用いて、携帯電話機１００における表示例及び操作例を説明する。
なお、図２〜図５では、携帯電話機１００の画面例のみを示し、携帯電話機１００の筐体などの記載は省略している。
【００１３】
＜２−１．分割＞
まず、分割操作により、１つの領域（表示パネル１１０の表示面全体又は１つの表示領域）を２つの表示領域に分割する場合について説明する。
図２は、表示パネル１１０の表示面を２つの表示領域に分割する際の分割操作の例及び表示パネル１１０の表示例を示す図である。
【００１４】
図２（ａ）は、表示パネル１１０に、アイコンＡ〜Ｉを含む画像（以下、「メニュー画像」ともいう）が表示された例を示している。
この状態において、図２（ｂ）に示すように、例えば、ユーザが、表示パネル１１０の辺Ｓａの近傍を接触の開始位置として、辺Ｓｂに向かって、指を接触させたまま移動（所謂ドラッグ操作）させていくと、線Ｌ１０が表示される。
【００１５】
この線Ｌ１０は、分割操作中に、ユーザの指の接触位置に応じて表示される直線であり、ユーザが指の接触を開始させた辺Ｓａの近傍の位置を通る、辺Ｓａに対する垂線と辺Ｓａとの交点Ｐ１を始点とし、当該垂線方向の現在の指の接触位置Ｐ２を終点とするものである。線Ｌ１０は、指の接触位置に応じた長さで表示される。
ユーザが、この線Ｌ１０を見ることで、現在行っている分割操作により、表示パネル１１０の表示面のどの位置で、表示面を分割することができるのかを容易に把握することができる。
【００１６】
ユーザが、辺Ｓｂの近傍で、接触させていた指を離すと、図２（ｃ）に示すように、表示パネル１１０の表示面が２つの表示領域（Ａ１、Ａ２）に分割され、表示領域Ａ１とＡ２との境界線を示す線Ｌ１１が表示される。
なお、この例では、線Ｌ１１を、図２（ｂ）に示す線Ｌ１０とは異なる線種で表示することにより、分割操作中の状態であるのか、分割操作が終了し、表示領域Ａ１とＡ２とに分割された状態であるのかを容易に把握できるようにしている。
【００１７】
また、図２（ｃ）の表示領域Ａ１には、アイコンＡ、Ｄ及びＧが、表示領域Ａ２は、アイコンＡ、Ｂ、Ｄ、Ｅ、Ｇ及びＨが表示されており、つまり、表示領域Ａ１及びＡ２には、図２（ａ）に示すメニュー画像の一部分が表示されている。
この状態から各表示領域において、ユーザが所定操作を行うことで、携帯電話機１００は、スクロール表示を行い、図２（ｃ）では表示されていない他のアイコンについても表示することができる。
【００１８】
図２（ｃ）の例に限らず、各表示領域において、あるアプリケーションに係る画像の全体が表示されていない場合には、ユーザが上記所定操作を行うことで、携帯電話機１００は、スクロール表示を行う。なお、表示領域のサイズが、表示対象の画像のサイズ以上である場合には、その表示領域に、表示対象の画像全体が表示され、ユーザが上記所定操作を行っても、携帯電話機１００は、特にスクロール表示を行わない。
【００１９】
図２（ｃ）の状態において、ユーザが、例えば、表示領域Ａ２のアイコンＢの表示位置に指等を接触させると、携帯電話機１００は、アイコンＢに対応するアプリケーション（この例では、メールアプリケーション）を起動し、図２（ｄ）に示すように、表示領域Ａ２には、そのアプリケーションに係る画像（この例では、受信メール一覧の画像）が表示される。
【００２０】
なお、アイコンの表示位置に指等を接触させる操作を「アイコンの選択操作」ともいう。
図３は、表示領域Ａ２を、２つの表示領域に分割する際の分割操作の例及び表示パネル１１０の表示例を示す図である。
図２（ｄ）の状態において、図３（ａ）に示すように、例えば、ユーザが、表示領域Ａ１とＡ２との境界線である線Ｌ１１の近傍を接触の開始位置として、辺Ｓｃに向かって、指を接触させたまま移動させていくと、線Ｌ２０が表示される。
【００２１】
この線Ｌ２０は、図２（ｂ）の線Ｌ１０と同様、分割操作中に、ユーザの指の接触位置に応じて表示される直線である。即ち、線Ｌ２０は、ユーザが指の接触を開始させた線Ｌ１１の近傍の位置を通る、線Ｌ１１に対する垂線と線Ｌ１１との交点Ｐ３を始点とし、当該垂線方向の現在の指の接触位置Ｐ４を終点とするものであり、指の接触位置に応じた長さで表示される。
【００２２】
ユーザが、辺Ｓｃの近傍で、接触させていた指を離すと、図３（ｃ）に示すように、表示領域Ａ２が、線Ｌ２１で２つの表示領域（Ａ３、Ａ４）に分割され、線Ｌ２１が表示される。
この線Ｌ２１は、線Ｌ１１と同様、表示領域Ａ３とＡ４との境界線を示すものであり、図３（ａ）に示す線Ｌ２０とは異なる線種で表示している。
【００２３】
また、図３（ｂ）の表示領域Ａ３には、図３（ａ）に示す受信メール一覧の画像の一部分が表示されており、図３（ｂ）の表示領域Ａ４には、表示領域Ａ３において表示されている受信メール一覧のうち、選択されている受信メール（斜線部参照）の本文が表示された例を示している。
なお、分割操作が行われた結果、得られた各表示領域にどのような画像を表示させるかは、分割前の表示領域において表示されていた画像に係るアプリケーションによるものとする。つまり、アプリケーション毎に、分割操作が行われた結果、得られた各表示領域に表示させる画像が、予め定められているものとする。
【００２４】
また、この例では、図２（ａ）で表示されているメニュー画像に係るアプリケーションも、１つのアプリケーションとして取り扱うものとし、このアプリケーションでは、分割操作により得られた各表示領域にメニュー画像の一部分を表示させるよう定められているものとする。
図４は、表示領域Ａ１を、２つの表示領域に分割する際の分割操作の例及び表示パネル１１０の表示例を示す図である。
【００２５】
図３（ｂ）の状態において、ユーザが、例えば、表示領域Ａ１のアイコンＡの選択操作を行うと、携帯電話機１００は、アイコンＡに対応するアプリケーション（この例では、文書作成アプリケーション）を起動する。また、その後、ユーザが所定の文書ファイルを開く操作を行うことで、図４（ａ）に示すように、表示領域Ａ１には、そのアプリケーションにおいて開かれた所定の文書ファイルに係る画像（以下、「文書画像」ともいう）が表示される。
【００２６】
この状態において、図４（ｂ）に示すように、例えば、ユーザが、表示パネル１１０の辺Ｓｄの近傍を接触の開始位置として、境界線Ｌ１１に向かって、指を接触させたまま移動させていくと、線Ｌ３０が表示される。
この線Ｌ３０は、図２（ｂ）に示す線Ｌ１０や図３（ａ）に示す線Ｌ２０と同様の、分割操作中に、ユーザの指の接触位置に応じて表示される直線である。
【００２７】
ユーザが、境界線Ｌ１１の近傍で、接触させていた指を離すと、図４（ｃ）に示すように、表示領域Ａ１が、線Ｌ３１で２つの表示領域（Ａ５、Ａ６）に分割され、線Ｌ３１が、線Ｌ３０とは異なる線種で表示される。
線Ｌ３１は、線Ｌ１１及びＬ２１と同様の表示領域Ａ５とＡ６との境界線を示すものである。
【００２８】
表示領域Ａ５及びＡ６それぞれには、図２（ｃ）の場合と同様に、図４（ｂ）に示す文書画像の一部分が表示されている。
なお、表示領域Ａ５及びＡ６のいずれか一方において文書を編集した場合、他方においてその編集箇所を表示した場合、編集後の内容が表示されるものとする。即ち、表示領域Ａ５及びＡ６は、１つの文書ファイルに係るデータをそれぞれ表示している。
【００２９】
続いて、分割操作により、２つの表示領域それぞれを２つの表示領域に分割する場合について説明する。
図５は、表示領域Ａ１及びＡ２それぞれを、２つの表示領域に分割する際の分割操作の例及び表示パネル１１０の表示例を示す図である。
図５（ａ）に示すように、例えば、ユーザが、表示パネル１１０の辺Ｓｄの近傍を接触の開始位置として、境界線Ｌ１１を越えて、辺Ｓｃに向かって、指を接触させたまま移動させていくと、線Ｌ４０が表示される。
【００３０】
線Ｌ４０は、図２（ｂ）の線Ｌ１０や図３（ａ）の線Ｌ２０と同様、分割操作中に、ユーザの指の接触位置に応じて表示される直線である。
ユーザが、辺Ｓｃの近傍で、接触させていた指を離すと、図５（ｂ）に示すように、表示領域Ａ１及びＡ２がそれぞれ、線Ｌ４１で２つの表示領域（Ａ７〜Ａ１０）に分割される。
【００３１】
表示領域Ａ７〜Ａ１０それぞれには、図２（ｃ）の場合と同様に、図５（ａ）に示すメニュー画像の一部分が表示されている。
このように、携帯電話機１００によれば、表示パネル１１０の表示面を切るような直感的な操作で、表示面をユーザの好みの位置で分割して、各表示領域に、例えば複数のアプリケーションに係る画像を同時に表示させることが可能になる。
【００３２】
＜２−２．結合＞
次に、結合操作により、２つの表示領域を１つの表示領域に結合する場合について説明する。
図６は、表示領域Ａ５及びＡ６を、１つの表示領域に結合する際の結合操作の例及び表示パネル１１０の表示例を示す図である。
【００３３】
図６（ａ）に示すように、例えば、ユーザが、境界線Ｌ３１の一方の端点の近傍を接触の開始位置として、境界線Ｌ４１をなぞるように、境界線Ｌ１１に向かって、指を接触させたまま移動させていくと、線Ｌ５０が表示される。
この線Ｌ５０は、結合操作中に、ユーザの指の接触位置に応じて表示される直線である。即ち、線Ｌ５０は、ユーザが指の接触を開始させた境界線Ｌ４１の一方の端点の近傍の位置を通る、辺Ｓｄに対する垂線と辺Ｓｄとの交点Ｐ５を始点とし、当該垂線方向の現在の指の接触位置Ｐ６を終点とするものであり、指の接触位置に応じた長さで表示される。
【００３４】
ユーザが、境界線Ｌ４１の他方の端点の近傍で接触させていた指を離すと、図６（ｂ）に示すように、表示領域Ａ５及びＡ６が１つの表示領域Ａ１に結合され、境界線Ｌ４１及び線Ｌ５０の表示は行われなくなる。
ここで、図６（ｂ）の表示領域Ａ１には、表示領域Ａ５及びＡ６のいずれか（ここでは
、Ａ５とする）に係る画像が表示されている。
【００３５】
また、この状態において、図６（ｂ）に示すように、例えば、ユーザが、境界線Ｌ２１の一方の端点の近傍を接触の開始位置として、境界線Ｌ２１をなぞるように、辺Ｓｃに向かって、指を接触させたまま移動させていくと、線Ｌ６０が表示される。
この線Ｌ６０は、図５（ａ）の線Ｌ５０と同様の結合操作中に、ユーザの指の接触位置に応じて表示される直線である。
【００３６】
ユーザが、境界線Ｌ２１の他方の端点の近傍で接触させていた指を離すと、図６（ｃ）に示すように、表示領域Ａ３及びＡ４が１つの表示領域Ａ２に結合され、境界線Ｌ２１及び線Ｌ６０の表示は行われなくなる。
ここで、図６（ｂ）の表示領域Ａ２には、表示領域Ａ３及びＡ４のいずれか（ここでは、Ａ３とする）に係る画像が表示されている。
【００３７】
このように、携帯電話機１００によれば、表示パネル１１０の表示面が、複数の表示領域に分割されている場合に、ユーザが、表示されている境界線をなぞるような直感的な操作を行うことで、その境界線により分割されている表示領域を結合することが可能になる。従って、例えば、同時に表示させる必要がなくなったアプリケーションに係る画像の表示を中止して、境界線により分割されている表示領域を結合してなる１つの表示領域に、表示させる必要がある１つのアプリケーションに係る画像を大きく表示することが可能になる。
【００３８】
＜３．機能構成＞
図７は、携帯電話機１００の主要部の機能構成を示すブロック図である。
同図に示すように、携帯電話機１００は、表示パネル１１０、記憶部１２０及び制御部１３０を備える。
なお、携帯電話機１００は、通常の携帯電話機が備える通信部、スピーカ、マイク等を備えるが、同図では、図示を省略している。また、携帯電話機１００は、プロセッサ及びメモリを含んで構成されており、制御部１３０の機能は、上述のメモリに記憶されているプログラムを上述のプロセッサが実行することにより実現される。
【００３９】
ここで、表示パネル１１０は、ＬＣＤ（Liquid Crystal Display）１１１、タッチパッド１１２及びコントローラ１１３を含む。
タッチパッド１１２は、一般的な静電容量方式のタッチセンサにより実現され、ＬＣＤ１１１に重畳して設けられる。なお、タッチパッド１１２は、透明部材を用いて構成されており、ＬＣＤ１１１に表示された画像が見えるように構成されている。
【００４０】
コントローラ１１３は、タッチパッド１１２へのユーザの指等の接触を検出し、検出している間、一定時間（例えば、２５ｍｓ）毎に、タッチパッド１１２における接触位置の座標値（ｘ，ｙ）を制御部１３０に出力するＩＣ（Integrated Circuit）である。
なお、一例として、図１に示すように、表示パネル１１０の左上の頂点の座標値は（０，０）であるとし、右下の頂点の座標値は（７９９，４７９）であるとする。
【００４１】
なお、この例では、ＬＣＤ１１１の画素数（縦×横）は、４８０×８００画素であるものとする。
また、記憶部１２０は、各種アプリケーション（メニュー表示アプリケーション、メールアプリケーション、文書作成アプリケーション等）用のプログラム及びそれらのアプリケーションが必要とするデータの他、領域管理テーブル１０、境界線管理テーブル２０を記憶するためのメモリ領域である。
【００４２】
領域管理テーブル１０は、各表示領域を管理するためのテーブルであり、境界線管理テーブル２０は、２つの表示領域を分割する境界線を管理するためのテーブルである（図８参照）。各テーブルについては、後に詳細に説明する。
また、制御部１３０は、一般的な携帯電話機が有する機能の他、特に、ユーザによる分割操作及び結合操作に応じて、表示領域を定め、表示領域毎に画像の表示に係る制御を行う機能を有する。
【００４３】
制御部１３０は、領域管理部１３１、アプリケーション実行部１３２及び表示制御部１３３を含んで構成される。
ここで、領域管理部１３１は、コントローラ１１３から出力された座標値に基づいて、分割操作及び結合操作を検出し、検出した操作に応じて、境界線及び表示領域を定め、記憶部１２０の領域管理テーブル１０及び境界線管理テーブル２０を更新する機能を有する。この分割操作及び結合操作の検出方法については後述する。
【００４４】
なお、領域管理部１３１は、分割操作及び結合操作以外の通常操作、例えば、アイコンの選択操作が検出された場合に、アプリケーション実行部１３２に通知する機能も有する。
アプリケーション実行部１３２は、領域管理部１３１からの通知に基づいて、コントローラ１１３から出力された座標値が示す表示パネル１１０（タッチパッド１１２）における位置に対応する処理を実行する機能を有する。
【００４５】
例えば、図２（ａ）に示すように、各種アプリケーションを起動するためのアイコンＡ〜Ｉが配置されたメニュー画像が表示パネル１１０に表示されている場合に、ユーザがアイコンＡの表示位置に指等を接触させると、アプリケーション実行部１３２は、アイコンＡに対応するアプリケーション（この例では、メールアプリケーション）を起動する。つまり、アプリケーション実行部１３２は、記憶部１２０からアイコンＡに対応するアプリケーションプログラムを読み出して実行する。
【００４６】
なお、アプリケーション実行部１３２は、複数のアプリケーションを時分割で並行実行することができ、上述のように、ユーザによるアプリケーションの起動操作があった場合に、起動操作が行われた表示領域と起動されたアプリケーションとの対応を示す情報（以下、「対応情報」という）を記憶部１２０に記憶する。
例えば、図２（ｄ）に示す状態においては、表示領域Ａ１とメニュー表示アプリケーションとが、表示領域Ａ２とメールアプリケーションとが、それぞれ対応することを示す対応情報が記憶部１２０に記憶されていることになる。
【００４７】
また、アプリケーション実行部１３２は、表示領域の分割又は結合が行われた場合に、分割前の表示領域と対応するアプリケーションに応じて分割後の表示領域に、結合前の表示領域と対応するアプリリケーションに応じて結合後の表示領域に表示させるべき画像の決定処理を行う機能を有する。
表示制御部１３３は、アプリケーション実行部１３２の処理結果に応じた画像や、領域管理部１３１が定めた境界線を、ＬＣＤ１１１に表示させる機能を有する。
【００４８】
＜４．データ＞
以下では、携帯電話機１００が使用するデータについて、図８〜１０を用いて説明する。
なお、図８（ｂ）、図９（ｂ）では、携帯電話機１００の画面例のみを示し、携帯電話機１００の筐体などの記載は省略している。
【００４９】
＜４−１．領域管理テーブル＞
まず、図８を用いて、領域管理テーブル１０について説明する。
図８は、領域管理テーブル１０のデータ構成及び内容例と、２つの表示領域の例を示す図である。
領域管理テーブル１０は、図８（ａ）に示すように、領域ＩＤ１１、左上座標値１２、右下座標値１３及び再分割領域ＩＤ１４を対応付けて構成される情報である。
【００５０】
なお、図８及び後述する図９、１０に示すｘ１２は１から７９８までの具体的な数値を、ｘ１１はｘ１２−２の値を、ｙ１２は１から４７８までの具体的な数値を、ｙ１１はｙ１２―２の値を表しているものとする。また、対応する領域ＩＤ、左上座標値、右下座標値及び再分割領域ＩＤからなる情報を「レコード」ともいう。
ここで、領域ＩＤ１１は、表示領域の識別情報あり、この例では、１以上の異なる数字を用いている。
【００５１】
左上座標値１２は、対応する領域ＩＤが示す表示領域の範囲（矩形領域）の左上の頂点の座標値であり、右下座標値１３は、その表示領域の範囲の右下の頂点の座標値である。
再分割領域ＩＤ１４は、対応する領域ＩＤが示す表示領域が、ある境界線により更に分割されている場合の分割後の表示領域の領域ＩＤである。再分割領域ＩＤが設定されている場合、その再分割領域ＩＤに対応する領域ＩＤが示す表示領域に代えて、その再分割領域ＩＤが示す表示領域が定められていることを示している。つまり、再分割領域ＩＤが設定されている間、その再分割領域ＩＤに対応する領域ＩＤが示す表示領域は、無効な領域であることを示している。
【００５２】
なお、対応する領域ＩＤが示す表示領域が更に分割されていないことを、同図では、「−」で示している。
例えば、図８（ａ）では、領域ＩＤが「１」である表示領域の左上座標値は「（０，０）」であり、右下座標値は「（ｘ１１，４７９）」であり、再分割領域ＩＤは「−」、即ち、この表示領域は分割されておらず、この表示領域は有効であることを示している。
【００５３】
なお、図８（ａ）に示す領域ＩＤが「１」である表示領域は、図８（ｂ）の表示領域Ａ１１に、図８（ａ）に示す領域ＩＤが「２」である表示領域は、図８（ｂ）の表示領域Ａ１２に相当する。
次に、図９を用いて、図８（ｂ）の表示領域Ａ１２が更に分割された際に、領域管理テーブル１０がどのように更新されるかを説明する。
【００５４】
図９は、３つの表示領域が定められている場合の領域管理テーブル１０の内容例を示す図である。
図９（ａ）に示す領域ＩＤが「３」である表示領域は、図９（ｂ）の表示領域Ａ１３に、図９（ａ）に示す領域ＩＤが「４」である表示領域は、図９（ｂ）の表示領域Ａ１４に相当する。
【００５５】
図８（ｂ）に示す表示領域Ａ１２が図９（ｂ）に示すように表示領域Ａ１３、Ａ１４に分割された際に、領域管理部１３１は、図８（ａ）に示す状態の領域管理テーブル１０を、図９（ａ）に示す状態の領域管理テーブル１０に更新する。
即ち、図９（ａ）に示すように、領域ＩＤ「３」を含むレコード１６と領域ＩＤ「４」を含むレコード１７を登録すると共に、領域ＩＤ「２」を含むレコード１８に含まれている再分割領域ＩＤを「−」から「３，４」に更新する。
【００５６】
なお、領域管理部１３１は、表示パネル１１０の表示面全体又は各表示領域が２つの表示領域に分割された場合に、その２つの表示領域のうち、左上の頂点のｙ座標値がより小さい一方の表示領域に、他方の表示領域よりも小さい領域ＩＤを割り振るものとする。ま
た、その２つの表示領域の左上の頂点のｙ座標値が一致する場合には、左上の頂点のｘ座標値がより小さい一方の表示領域に、他方の表示領域よりも小さい領域ＩＤを割り振るものとする。
【００５７】
このようにして更新された図９（ａ）に示す領域管理テーブル１０は、領域ＩＤが「１」である表示領域Ａ１１が有効であり、領域ＩＤが「２」である表示領域Ａ１２に代えて、領域ＩＤが「３」、「４」である表示領域Ａ１３、Ａ１４が有効であることを示すことになる。
なお、ここでは、表示領域の分割が行われた場合について説明したが、図９（ｂ）に示す状態で、領域ＩＤが「３」、「４」である表示領域Ａ１３、Ａ１４が結合された場合には、領域管理テーブル１０は、図９（ａ）に示す状態から図８（ａ）に示す状態に更新されることになる。
【００５８】
＜４−２．境界線管理テーブル＞
次に、図１０を用いて、境界線管理テーブル２０について説明する。
図１０は、境界線管理テーブル２０のデータ構成及び内容例を示す図である。
なお、同図は、図９（ｂ）に示す３つの表示領域が定められている場合の境界線管理テーブルの内容例を示している。
【００５９】
境界線管理テーブル２０は、図１０に示すように、境界線ＩＤ２１、第１座標値２２、第２座標値２３及び分割領域ＩＤ２４を対応付けて構成される情報である。
なお、対応する境界線ＩＤ、第１座標値、第２座標値及び分割領域ＩＤからなる情報を「レコード」ともいう。
ここで、境界線ＩＤ２１は、境界線の識別情報あり、この例では、１以上の異なる数字を用いている。
【００６０】
第１座標値２２及び第２座標値２３は、対応する境界線ＩＤが示す境界線の両端点のうちのそれぞれ異なる端点の座標値である。
分割領域ＩＤ２４は、対応する境界線ＩＤが示す境界線で分割されている各表示領域の領域ＩＤであり、領域管理テーブル１０のいずれかの領域ＩＤと一致する。
例えば、図１０では、境界線ＩＤが「２」である境界線の第１座標値は「（ｘ１２，ｙ１２−１）」であり、第２座標値は「（７９９，ｙ１２−１）」であり、分割領域ＩＤは「３，４」、即ち、この境界線により分割された表示領域は、領域ＩＤが「３」、「４」である領域（図８（ａ）のＡ１３、Ａ１４）であることを示している。
【００６１】
なお、図１０に示す境界線ＩＤが「１」である境界線は、図９（ｂ）の境界線Ｌ１に、図１０に示す境界線ＩＤが「２」である境界線は、図９（ｂ）の境界線Ｌ２に相当する。
また、ここでは、図９（ｂ）に示す３つの表示領域が定められている場合の境界線管理テーブルの内容例を説明したが、図９（ｂ）に示す状態で、表示領域Ａ１３、Ａ１４が結合された場合には、結合された表示領域Ａ１３、Ａ１４を分割していた境界線（この例では、Ｌ２）についてのレコード２６が削除される。また、新たに分割が行われた場合には、分割後の各表示領域を分割する境界線についてのレコードが追加される。
【００６２】
＜５．分割操作及び結合操作の検出＞
以下、領域管理部１３１が分割操作及び結合操作をどのように検出するかを、図１１を用いて説明する。
図１１は、各表示領域の各縁部を説明するための図である。
表示領域毎に内接するように４つの縁部が定義され、同図においてハッチで示す部分が、表示領域Ａ１１の縁部Ｅ１１〜Ｅ１４、表示領域Ａ１３の縁部Ｅ２１〜Ｅ２４、表示領域Ａ１４の縁部Ｅ３１〜Ｅ３４を示している。
【００６３】
縁部Ｅ１１、Ｅ１３、Ｅ２１、Ｅ２３、Ｅ３１、Ｅ３３の幅はｘ１であり、縁部Ｅ１２、Ｅ１４、Ｅ２２、Ｅ２４、Ｅ３２、Ｅ３４の幅はｙ１である。
なお、同図に示すｘ１及びｙ１は、縁部の幅を定義するための予め定められた数値であり、例えば「１０」であるものとするが、これ以外の値でもよく、ｘ１とｙ１とは異なる値であってもよい。
【００６４】
領域管理部１３１は、いずれかの縁部を接触の開始位置として、その縁部に対向する他の縁部を接触の終了位置とする操作を分割操作と検出する。
例えば、縁部Ｅ１１から接触が開始され、その接触が縁部Ｅ１１に対向する縁部Ｅ１３で離された場合に、この操作は、分割操作として検出され、表示領域Ａ１１が２つの表示領域に分割されることになる。
【００６５】
また、例えば、縁部Ｅ１１から接触が開始され、その接触が、縁部Ｅ１１に対向する縁部Ｅ２３の例えば、表示領域Ａ１３に含まれる位置で離された場合に、この操作は、分割操作として検出され、表示領域Ａ１１及びＡ１３がそれぞれ２つの表示領域に分割されることになる。
また、領域管理部１３１は、いずれかの境界線の一方の端点から所定範囲内の位置を接触の開始位置として、その境界線の他方の端点から所定範囲内の位置を接触の終了位置とする操作を結合操作と検出する。例えば、位置Ｐ１０から接触が開始され、その接触が位置Ｐ２０で離された場合に、その操作は、結合操作として検出されることになる。
【００６６】
なお、結合操作を検出するための上記所定範囲は、この例では、端点から、上記ｘ１及びｘ２未満の範囲とする。即ち、分割操作の場合と同様に、結合操作における接触の開始位置及び終了位置は、いずれかの縁部となる。
＜６．動作＞
次に、上記構成を備える携帯電話機１００の動作について、図１２〜図１４を用いて説明する。
【００６７】
＜６−１．制御処理＞
まずは、携帯電話機１００の制御処理について説明する。
図１２は、携帯電話機１００の制御処理を示すフローチャートである。
同図に示す制御処理は、携帯電話機１００の電源がＯＮになると開始され、特に図示していないが、電源がＯＦＦになると終了される。なお、携帯電話機１００の電源がＯＮになった際に、制御部１３０は、記憶部１２０の領域管理テーブル１０及び境界線管理テーブル２０を初期化、つまり、登録されている全レコードを削除する。
【００６８】
制御部１３０の領域管理部１３１は、コントローラ１１３から座標値が出力されたかに基づいて、ユーザの指等の接触が開始されたか否かを判定する（ステップＳ１）。
コントローラ１１３から座標値が出力されなかった場合に、領域管理部１３１は、ユーザの指等の接触が開始されていないと判定し（ステップＳ１：ＮＯ）、再びステップＳ１の処理を行う。
【００６９】
コントローラ１１３から座標値が出力された場合に、領域管理部１３１は、ユーザの指等の接触が開始されたと判定し（ステップＳ１：ＹＥＳ）、コントローラ１１３から出力された座標値が示すユーザの指等の接触の開始位置Ｐａが、いずれかの縁部に含まれるか否かを判定する（ステップＳ２）。
即ち、領域管理部１３１は、記憶部１２０に記憶されている領域管理テーブル１０が示す表示領域毎に、内接する４つの縁部の位置を特定し、特定したいずれかの縁部に、ユーザの指等の接触の開始位置Ｐａが含まれるかを判定する。
【００７０】
ユーザの指等の接触の開始位置Ｐａが、いずれの縁部にも含まれない場合に（ステップＳ２：ＮＯ）、領域管理部１３１は、コントローラ１１３から新たに座標値が出力されたかに基づいて、ユーザの指等の接触が引き続き行われているか否かを判定する（ステップＳ３）。
コントローラ１１３から新たに座標値が出力されている間、領域管理部１３１は、ユーザの指等の接触が引き続き行われていると判定し（ステップＳ３：ＹＥＳ）、ステップＳ３の処理を繰り返す。
【００７１】
コントローラ１１３から新たに座標値が出力されなくなった場合に、領域管理部１３１は、ユーザの指等の接触が行われなくなったと判定し（ステップＳ３：ＮＯ）、アプリケーション実行部１３２に通知する。通知を受けたアプリケーション実行部１３２は、接触の終了位置（最後の接触位置）に対応する処理を実行し（ステップＳ４）、領域管理部１３１は、再びステップＳ１から処理を行う。
【００７２】
一方、ステップＳ２において、ユーザの指等の接触の開始位置Ｐａが、いずれかの縁部に含まれる場合に（ステップＳ２：ＹＥＳ）、領域管理部１３１は、コントローラ１１３から新たに出力された座標値が示す接触位置に基づいて、接触位置が変化したか否かを判定する（ステップＳ５）。
接触位置が変化した場合に（ステップＳ５：ＹＥＳ）、領域管理部１３１は、開始位置Ｐａを通る、開始位置Ｐａが含まれる縁部の辺等に対する垂線と当該辺等との交点と、変化後の接触位置の当該垂線方向の位置とを特定する。領域管理部１３１は、特定した交点から当該垂線方向の位置までの当該垂線の表示を表示制御部１３３に指示する。この指示を受けて、表示制御部１３３は、当該垂線を表示する（ステップＳ６）。
【００７３】
ここで、開始位置Ｐａが含まれる縁部の辺等とは、表示パネル１１０の辺Ｓａ〜Ｓｄ（図１参照）又は境界線のことをいう。例えば、開始位置Ｐａが、図１１の位置Ｐ３０である場合、開始位置Ｐａが含まれる縁部の辺等とは、表示パネル１１０の辺Ｓｄのことである。また。例えば、開始位置Ｐａが、図１１の位置Ｐ４０である場合、開始位置Ｐａが含まれる縁部の辺等とは、境界線Ｌ１のことである。
【００７４】
例えば、開始位置Ｐａが、図１１の位置Ｐ３０である場合、図４（ｂ）のように、垂線Ｌ３０が表示されることになる。
ステップＳ６の処理を完了すると、領域管理部１３１は、再びステップＳ５から処理を行う。
接触位置が変化しなかった場合に（ステップＳ５：ＮＯ）、領域管理部１３１は、ステップＳ３と同様に、ユーザの指等の接触が行われているか否かを判定する（ステップＳ７）。
【００７５】
領域管理部１３１は、ユーザの指等の接触が行われている場合に（ステップＳ７：ＹＥＳ）、再びステップＳ５から処理を行い、ユーザの指等の接触が行われていない場合に（ステップＳ７：ＮＯ）、接触の終了位置Ｐｂが、接触の開始位置Ｐａが含まれる縁部と対向する縁部に含まれるか否かを、ステップＳ２と同様に判定する（ステップＳ８）。
接触の終了位置Ｐｂが、接触の開始位置Ｐａの縁部と対向する縁部に含まれない場合に（ステップＳ８：ＮＯ）、領域管理部１３１は、特に何も行うことなく、再びステップＳ１から処理を行う。
【００７６】
また、接触の終了位置Ｐｂが、接触の開始位置Ｐａの縁部と対向する縁部に含まれる場合に（ステップＳ８：ＹＥＳ）、領域管理部１３１は、開始位置Ｐａ及び終了位置Ｐｂが、いずれかの１つの境界線の各端点の位置から所定範囲内であるか否かを判定する（ステ
ップＳ９）。
開始位置Ｐａ及び終了位置Ｐｂが、いずれの１つ境界線の各端点の位置からも所定範囲内でない場合に（ステップＳ９：ＮＯ）、ステップＳ１で開始され、ステップＳ７で終了した接触に係る操作は分割操作であるとして、領域管理部１３１は、分割処理を行う（ステップＳ１０）。
【００７７】
一方、開始位置Ｐａ及び終了位置Ｐｂが、いずれかの境界線の各端点の位置から所定範囲内である場合に（ステップＳ９：ＹＥＳ）、ステップＳ１で開始され、ステップＳ７で終了した接触に係る操作は結合操作であるとして、領域管理部１３１は、結合処理を行う（ステップＳ２０）。
ステップＳ１０の処理を終了し、又はステップＳ２０の処理を終了すると、領域管理部１３１は、再びステップＳ１から処理を行う。
【００７８】
＜６−２．分割処理＞
次に、上記ステップＳ１０の分割処理の詳細について説明する。
図１３は、携帯電話機１００の分割処理を示すフローチャートである。
領域管理部１３１は、接触の終了位置Ｐｂが、接触の開始位置Ｐａの縁部と同じ表示領域の対向する縁部であるか、異なる表示領域の対向する縁部であるかを判定する（ステップＳ１１）。
【００７９】
これは、図１２のステップＳ１で開始され、ステップＳ７で終了した接触に係る分割操作が、例えば、図３に示すように１つの表示領域を２つの表示領域に分割する分割操作であったか、あるいは、例えば、図５に示すように２つの表示領域それぞれを２つの表示領域に分割する分割操作であったかを、判定することに相当する。
接触の終了位置Ｐｂが、接触の開始位置Ｐａの縁部と同じ表示領域の対向する縁部である場合に（ステップＳ１１：同領域）、領域管理部１３１は、接触の開始位置Ｐａ及び接触の終了位置Ｐｂに基づいて、新たな境界線及び２つの表示領域（以下、「分割領域」ともいう）を決定する（ステップＳ１２）。なお、この２つの分割領域は、本発明に係る第１及び第２の表示領域の一例に相当する。
【００８０】
具体的には、領域管理部１３１は、図１２のステップＳ６の垂線の一方の端点を、ステップＳ６の交点Ｐｃとし、当該垂線の他方の端点を、接触の終了位置Ｐｂが含まれる縁部の辺等と当該垂線との交点Ｐｄとする境界線を、新たな境界線と決定する。
また、接触の開始位置Ｐａ及び接触の終了位置Ｐｂが含まれる表示領域を、決定した新たな境界線により分割してなる２つの表示領域を決定する。
【００８１】
一方、ステップＳ１１において、接触の終了位置Ｐｂが、接触の開始位置Ｐａの縁部と異なる表示領域の対向する縁部である場合に（ステップＳ１１：異領域）、領域管理部１３１は、新たな境界線及び４つの分割領域を決定する（ステップＳ１３）。なお、この４つの分割領域は、本発明に係る第１、第２、第３及び第４の表示領域の一例に相当する。
新たな境界線の決定方法は、上記ステップＳ１２の場合と同様である。また、接触の開始位置Ｐａが含まれる表示領域及び接触の終了位置Ｐｂが含まれる表示領域それぞれについて、決定した新たな境界線により分割してなる２つの表示領域を決定する。
【００８２】
ステップＳ１２の処理を完了し、又はステップＳ１３の処理を完了すると、領域管理部１３１は、決定した新たな境界線及び決定した表示領域についての情報を反映させるように、記憶部１２０の領域管理テーブル１０及び境界線管理テーブル２０を更新する（ステップＳ１４）。
なお、ステップＳ１２の処理を完了した場合におけるステップＳ１４の処理では、図８〜図１０を用いて説明したように、領域管理テーブル１０及び境界線管理テーブル２０が
更新されることになる。
【００８３】
また、ステップＳ１３の処理を完了した場合におけるステップＳ１４の処理では、以下、図１５に示すように、領域管理テーブル１０及び境界線管理テーブル２０が更新されることになる。
図１５は、４つの表示領域が定められている場合の領域管理テーブル１０及び境界線管理テーブル２０の内容例を示す図である。
【００８４】
この例では、ステップＳ１３で決定された新たな境界線が、図１５（ｃ）に示す境界線Ｌ３であるものとしている。
この新たな境界線Ｌ３では、領域ＩＤが「１」である表示領域Ａ１１（図８参照）が、図１５（ｃ）の表示領域Ａ１５、Ａ１６に分割され、また、領域ＩＤが「２」である表示領域Ａ１２（図８参照）が、図１５（ｃ）の表示領域Ａ１７、Ａ１８に分割されることになる。
【００８５】
従って、領域管理部１３１は、図１５（ａ）に示すように、表示領域Ａ１５〜Ａ１８についての４つのレコード１９ａを領域管理テーブル１０に登録する。また、領域管理部１３１は、領域管理テーブル１０の領域ＩＤが「１」である表示領域Ａ１１についてのレコードの再分割領域ＩＤを、表示領域Ａ１５、Ａ１６の領域ＩＤ「３，４」に更新する（符号１９ｂ参照）。また、領域管理部１３１は、領域管理テーブル１０の領域ＩＤが「２」である表示領域Ａ１２についてのレコードの再分割領域ＩＤを、表示領域Ａ１７、Ａ１８の領域ＩＤ「５，６」に更新する（符号１９ｃ参照）。
【００８６】
また、領域管理部１３１は、図１５（ｂ）に示すように、分割領域ＩＤに、表示領域Ａ１５〜Ａ１８の領域ＩＤ「３，４，５，６」を設定した、この新たな境界線Ｌ３についてのレコード２７を境界線管理テーブル２０に登録する。
ステップＳ１４の処理を完了すると、アプリケーション実行部１３２は、記憶部１２０の対応情報を参照し、ステップＳ１２又はＳ１３の処理で決定された各分割領域に表示させるべき画像を分割前の表示領域と対応するアプリケーションに基づいて決定する。
【００８７】
表示制御部１３３は、アプリケーション実行部１３２が決定した画像を表示パネル１１０の各分割領域に表示させ、ステップＳ１２又はＳ１３の処理で決定された境界線を表示パネル１１０に表示させ（ステップＳ１５）、分割処理を終了する。
＜６−３．結合処理＞
次に、上記ステップＳ２０の結合処理の詳細について説明する。
【００８８】
図１４は、携帯電話機１００の結合処理を示すフローチャートである。
領域管理部１３１は、図１２のステップＳ９において、開始位置Ｐａ及び終了位置Ｐｂが各端点の位置から所定範囲内であると判定した境界線（以下、「削除境界線」ともいう）により分割されている２つの分割領域のいずれかに、この分割領域を更に分割した表示領域（以下、「再分割領域」ともいう）が存在するか否かを判定する（ステップＳ２１）。
【００８９】
具体的には、領域管理部１３１は、削除境界線についてのレコードに含まれている分割領域ＩＤを、境界線管理テーブル２０から取得し、取得した分割領域ＩＤと同一の領域ＩＤを含む各レコードを領域管理テーブル１０において特定する。また、領域管理部１３１は、特定した各レコードのいずれかに再分割領域ＩＤが設定されている場合に、分割領域に再分割領域が存在すると判定する（ステップＳ２１：ＹＥＳ）。また、特定した各レコードのいずれにも再分割領域ＩＤが設定されていない場合に、領域管理部１３１は、分割領域に再分割領域が存在しないと判定する（ステップＳ２１：ＮＯ）。
【００９０】
分割領域に再分割領域が存在しないと判定した場合に（ステップＳ２１：ＮＯ）、領域管理部１３１は、この各分割領域を、再分割領域としている領域を結合後の表示領域（以下、「結合領域」ともいう）と決定する（ステップＳ２２）。
具体的には、領域管理部１３１は、ステップＳ２１で取得した、削除境界線についてのレコードに含まれている分割領域ＩＤを、再分割領域ＩＤに含むレコードに含まれている領域ＩＤを領域管理テーブル１０において特定する。領域管理部１３１は、特定した領域ＩＤが示す表示領域を結合領域と決定する。
【００９１】
なお、上記図１５の例において、削除境界線がＬ３の場合、図１５（ｂ）に示す削除境界線Ｌ３についてのレコード２７の分割領域ＩＤには、４つの領域ＩＤが登録されている。このような場合に、領域管理部１３１は、この分割領域ＩＤに含まれる４つの領域ＩＤの異なる組（この例では「３，４」と「５，６」）を、再分割領域ＩＤに含む複数のレコード、即ち領域ＩＤが「１」、「２」である複数のレコードを領域管理テーブル１０において特定する。領域管理部１３１は、特定した各領域ＩＤ「１」、「２」が示す各表示領域Ａ１１、Ａ１２（図８参照）を結合領域と決定する。
【００９２】
また、領域管理部１３１は、記憶部１２０の領域管理テーブル１０及び境界線管理テーブル２０を更新する（ステップＳ２３）。
具体的には、領域管理部１３１は、削除境界線についてのレコードを境界線管理テーブル２０から削除し、各分割領域についてのレコードを領域管理テーブル１０から削除する。また、領域管理部１３１は、ステップＳ２２で決定した結合領域の領域ＩＤを含む領域管理テーブル１０のレコードの再分割領域ＩＤを「−」に更新する。
【００９３】
ステップＳ２３の処理を完了すると、アプリケーション実行部１３２は、結合領域を構成する領域のうちのいずれか１つの領域に表示されていた画像を、ステップＳ２２の処理で決定された結合領域に表示させるべき画像として決定する。アプリケーション実行部１３２は、例えば、結合領域を構成する領域のうちの領域ＩＤが最小であった表示領域に表示されていた画像を、結合領域に表示させるべき画像として決定する。
【００９４】
また、表示制御部１３３は、この決定された画像を表示パネル１１０の結合領域に表示させ（ステップＳ２４）、結合処理を終了する。なお、この削除境界線の表示は削除されることになる。
一方、ステップＳ２１において、分割領域に再分割領域が存在すると判定した場合に（ステップＳ２１：ＹＥＳ）、領域管理部１３１は、その再分割領域を分割している境界線（以下、「再分割境界線」ともいう）が、削除境界線に接しているか否かを判定する（ステップＳ２５）。
【００９５】
ここで、再分割境界線が、削除境界線に接しているとは、再分割境界線及び削除境界線のうちの一方の境界線の１つの端点が他方の境界線上の点であることをいう。
再分割境界線が削除境界線に接していない場合（ステップＳ２５：ＮＯ）、即ち、再分割境界線が削除境界線と並行、又は再分割境界線と削除境界線とが交差している場合に、領域管理部１３１は、削除境界線を介して接する２つの表示領域を結合領域と決定する（ステップＳ２６）。
【００９６】
例えば、図１５の例において、削除境界線がＬ１の場合、領域ＩＤが「１」である分割領域Ａ１１（図８（ｂ）参照）には、領域ＩＤが「３」、「４」である各再分割領域Ａ１５、Ａ１６が存在し、領域ＩＤが「２」である分割領域Ａ１２（図８（ｂ）参照）には、領域ＩＤが「５」、「６」である各再分割領域Ａ１７、Ａ１８が存在する。
この各再分割領域Ａ１５〜Ａ１８を分割する、境界線ＩＤが「２」である再分割境界線
Ｌ３は、削除境界線Ｌ１と交差する。
【００９７】
従って、領域管理部１３１は、削除境界線Ｌ１を介して接する２つの表示領域（Ａ１５とＡ１７）からなる領域と、２つの表示領域（Ａ１６とＡ１８）とからなる領域とを結合領域と決定する。
ステップＳ２６の処理を完了すると、領域管理部１３１は、ステップＳ２３の処理を行う。
【００９８】
即ち、領域管理部１３１は、削除境界線についてのレコードを境界線管理テーブル２０から削除し、各分割領域についてのレコードを領域管理テーブル１０から削除する。
また、領域管理部１３１は、ステップＳ２６で決定した結合領域についてのレコードを境界線管理テーブル２０に追加し、追加したレコードに含まれている領域ＩＤを、上記再分割境界線についての境界線管理テーブル２０のレコードに含まれている分割領域ＩＤに設定する。また、領域管理部１３１は、境界線管理テーブル２０の分割領域ＩＤ２４に登録されていない領域ＩＤを含む領域管理テーブル１０のレコードを削除する。
【００９９】
ステップＳ２３の処理を完了すると、上述のように、アプリケーション実行部１３２は、ステップＳ２２の処理で決定された結合領域に表示させるべき画像を決定し、表示制御部１３３は、決定後の画像を表示パネル１１０の結合領域に表示させ（ステップＳ２４）、結合処理を終了する。
一方、ステップＳ２５において、再分割境界線が削除境界線に接している場合（ステップＳ２５：ＹＥＳ）、領域管理部１３１は、その再分割境界線を、他方の分割領域の側へ延長した上で、削除境界線を介して接する２つの表示領域を結合領域と決定する（ステップＳ２７）。
【０１００】
例えば、図９の例において、削除境界線がＬ１の場合、領域ＩＤが「２」である分割領域Ａ１２（図８（ｂ）参照）には、領域ＩＤが「３」、「４」である各再分割領域Ａ１３、Ａ１４が存在する。
この各再分割領域Ａ１３、Ａ１４を分割する、境界線ＩＤが「２」である再分割境界線Ｌ２は、削除境界線Ｌ１に接する。
【０１０１】
従って、領域管理部１３１は、再分割境界線Ｌ２を、領域ＩＤが「１」である他方の分割領域Ａ１１側へ延長した上で、削除境界線Ｌ１を介して接する２つの表示領域、即ち、左上座標値が「（０，０）」かつ右下座標値が「（ｘ１１，ｙ１１）」である領域と、表示領域Ａ１３とからなる領域を結合領域と決定する。更に、領域管理部１３１は、左上座標値が「（０，ｙ１２）」かつ右下座標値が「（ｘ１１，４７９）」である領域と、表示領域Ａ１４とからなる領域を結合領域と決定する。
【０１０２】
ステップＳ２７の処理を完了すると、領域管理部１３１は、ステップＳ２３の処理を行う。
即ち、領域管理部１３１は、削除境界線についてのレコードを境界線管理テーブル２０から削除し、ステップＳ２７で決定した結合領域についてのレコードを領域管理テーブル１０に追加する。また、領域管理部１３１は、この追加したレコードに含まれている領域ＩＤを、再分割境界線についての境界線管理テーブル２０のレコードに含まれている分割領域ＩＤに設定すると共に、そのレコードの第１座標値、第２座標値を、延長後の再分割境界線を示すように更新する。また、領域管理部１３１は、境界線管理テーブル２０の分割領域ＩＤ２４に登録されていない領域ＩＤを含む領域管理テーブル１０のレコードを削除する。
【０１０３】
ステップＳ２３の処理を完了すると、上述のように、アプリケーション実行部１３２は
、ステップＳ２２の処理で決定された結合領域に表示させるべき画像を決定し、表示制御部１３３は、決定後の画像を表示パネル１１０の結合領域に表示させ（ステップＳ２４）、結合処理を終了する。
≪補足≫
以上、本発明に係る携帯端末を、実施の形態に基づいて説明したが、以下のように変形することも可能であり、本発明は上述した実施の形態で示した通りの携帯電話機に限られないことは勿論である。
【０１０４】
（１）実施の形態では、接触の終了位置Ｐｂが、接触の開始位置Ｐａが含まれる縁部と対向する縁部に含まれる場合に、分割操作又は結合操作が行われたと判定するものとして説明した。
しかしながら、分割操作及び結合操作を行うモードとこれらの操作以外の通常操作を行うモードとを所定の操作で切り替えられるように変形し、分割操作及び結合操作を行うモードである場合において一定操作が行われたときに、分割操作又は結合操作が行われたと判定してもよい。
【０１０５】
この一定操作は、実施の形態で説明した所謂ドラッグ操作以外の操作であってもよい。例えば、２つの表示領域が存在する場合において、その一方の表示領域上への指等の接触操作が行われた場合に、分割操作が行われたと判定してもよい。この場合、その接触位置を通る、２つの表示領域の境界線への垂線で、当該一方の表示領域を分割することが考えられる。また、境界線上の位置から所定範囲内の位置に指等を接触された場合に、結合操作が行われたと判定してもよい。
【０１０６】
（２）実施の形態では、接触の終了位置Ｐｂが、接触の開始位置Ｐａが含まれる縁部と対向する縁部に含まれる場合に、分割操作又は結合操作が行われたと判定するものとして説明した。
しかしながら、２つの表示領域が存在する場合において所謂ドラッグ操作が行われたときに、当該２つの表示領域の境界線に対する垂線方向の、ドラッグ操作の開始位置Ｐａから終了位置Ｐｂまでの距離を算出し、算出した距離が第１距離以上である場合に、分割操作又は結合操作が行われたと判定するものとしてもよい。
【０１０７】
また、実施の形態では、開始位置Ｐａが含まれる縁部と、終了位置Ｐｂが含まれる縁部とが同一の表示領域の縁部かによって、１つの表示領域を２分割するか、２つの表示領域それぞれを２分割するかが決定されるものとして説明した。
しかしながら、２つの表示領域が存在する場合において所謂ドラッグ操作が行われたときに、上述のようにして算出したドラッグ操作の開始位置Ｐａから終了位置Ｐｂまでの距離が、上記第１距離以上で当該第１距離よりも長い第２距離未満である場合には１つの表示領域を、第２距離以上である場合には２つの表示領域それぞれを２分割すると決定してもよい。
【０１０８】
なお、この第１距離及び第２距離は、例えば、分割対象の表示領域の上記垂線方向の線分長に基づいて決定してもよい。
また、１つの表示領域を２分割するための操作モードと、２つの表示領域それぞれを２分割するための操作モードを所定の操作で切り替えられるようにし、現在のモードに応じて１つの表示領域を２分割するのか、２つの表示領域それぞれを２分割するかを決定してもよい。
【０１０９】
（３）実施の形態では、境界線は垂線であるものとして説明したが、斜めの線や、曲線であってもよい。
（４）実施の形態では、２つの表示領域を結合する場合に、この２つの表示領域のうち
、例えば、最小の領域ＩＤが示す表示領域に表示されていた画像を、結合後の表示領域に表示させるものとして説明した。
【０１１０】
しかしながら、この２つの表示領域のうち、直近にユーザ操作がなされた表示領域に表示されていた画像を、結合後の表示領域に表示させるようにしてもよい。
（５）実施の形態では、分割操作及び結合操作の最中に現在の接触位置に応じた長さの線が表示され、また、分割操作後に境界線が表示されるものとして説明した。しかしながら、これらの線が表示されないようにしてもよい。
【０１１１】
（６）実施の形態では、図４（ｃ）の表示領域Ａ５及びＡ６の例のように、１つの文書ファイルに係る画像の一部が各表示領域に表示されている場合に、いずれか一方において編集が行われると、他方にもその編集内容が反映されるものとして説明した。
しかしながら、一方において編集が行われても他方にその編集内容が反映されないようにしてもよい。この場合、例えば、ユーザ操作により、あるいは自動的に、各表示領域に係る文書を、異なるファイルに保存するようにしてもよい。
【０１１２】
また、ここでは、文書ファイルの例を用いて説明したが、内容を変更することが可能なデータついても同様にこの変形を適用できる。即ち、内容を変更することが可能なデータに係る画像の一部が各表示領域に表示されている場合に、いずれか一方において変更が行われても、他方にその編集内容が反映されないようにしてもよい。
（７）実施の形態では、表示パネル１１０の表示面が３つ又は４つの表示領域に分割される場合を例に説明したが、表示領域の数はこれに限られず、分割操作に応じて、５つ以上に分割されてもよい。
【０１１３】
但し、表示領域の数がある程度多くなると、各表示領域のサイズは小さくなり、一般的には視認性が低下すると考えられるため、一定条件下で、もしも分割操作が行われても、分割しないようにしてもよい。
この一定条件として、分割回数や表示領域の数、分割により得られる表示領域のサイズについての条件を用いることが考えられる。例えば、分割回数や表示領域の数が、メーカにより予め決められた数やユーザからの設定に基づく数未満である場合には、分割を行うようにしてもよい。また、例えば、分割により得られる表示領域のサイズが、メーカにより予め決められたサイズやユーザからの設定に基づくサイズ以上である場合に分割を行うようにしてもよい。
【０１１４】
なお、この場合、図１３のＳ１３の処理は、境界線が通過する全ての表示領域を分割するよう変更する必要がある。
（８）実施の形態に係る携帯電話機１００を、所定の接触操作に基づいて、２つの表示領域に表示させている画像を、入れ替えて表示するようにしてもよい。
所定の接触操作としては、例えば、表示画像を入れ替える対象の２つの表示領域上の位置を接触の開始位置と終了位置とする、分割操作及び結合操作よりも短い距離の所謂ドラッグ操作が考えられる。
【０１１５】
具体的には、例えば、表示画像を入れ替える対象の２つの表示領域が、隣接する２つの表示領域である場合に、その２つの表示領域を分割する境界線を介して隣接する２つの縁部のうち、一方の縁部上の位置を開始位置とし、他方の縁部上の位置を終了位置とする所謂ドラッグ操作が行われた場合に、表示画像を入れ替えてもよい。
また、２つの表示領域の表示画像を入れ替える操作を行うモードを設け、そのモードである場合において、２つの表示領域を指定する特定の接触操作（例えば、その２つの表示領域上の位置に順に指等を接触させる操作）が行われた場合に、表示画像を入れ替えるようにしてもよい。
【０１１６】
また、例えば、境界線の位置を移動させる操作モードを設け、そのモードである場合に、所定の操作、例えば、境界線上の位置から所定範囲内の位置を開始位置とし、その境界線に対する略垂線方向に行う所謂ドラッグ操作が行われた場合に、境界線の位置を移動させるようにしてもよい。
なお、移動対象の境界線により分割される２つの分割領域に、再分割領域が存在する場合において、再分割境界線に、移動対象の境界線が接するときには、移動後の境界線に引き続き接するように、再分割境界線の長さを調整（延長又は短縮）する必要がある。例えば、図３（ｂ）の状態で、境界線Ｌ１１を右方向に移動させた場合には、境界線Ｌ２１の長さが短縮され、境界線Ｌ１１を左方向に移動させた場合には、境界線Ｌ２１の長さが延長されることになる。
【０１１７】
（９）実施の形態に係る携帯電話機１００は、図１に示すように、ストレート型の端末であるものとして説明したが、スライド式や折り畳み式の携帯電話機等、他の外観を有する携帯電話機であってもよい。
また、実施の形態では、ＬＣＤ１１１の形状は、略矩形状であるとして説明したが、例えば、円形上、その他多角形状であってもよい。また、実施の形態では、ＬＣＤ１１１の画素数（縦×横）は４８０×８００画素であるものとしたが、この画素数に限定されるものではなく、適宜、他の画素数とすることもできる。なお、その場合、タッチパッド１１２についても、ＬＣＤ１１１の画素数にあわせた座標値を出力できるようにしてもよい。
【０１１８】
また、表示パネル１１０は、ＬＣＤ１１１を含むものとして説明したが、有機ＥＬ（Electro-Luminescence）等を含むようにしてもよい。
（１０）実施の形態に係るタッチパッド１１２は、静電容量方式のタッチセンサにより実現されるものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の電極の電流量の比率を計測して接触位置を判別する表面型等、適宜なものを用いることができる。
【０１１９】
また、タッチパッド１１２は、静電容量方式のタッチセンサにより実現される場合に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等、適宜なものを用いてもよい。
【０１２０】
（１１）実施の形態において説明した各構成要素のうち、全部又は一部を１チップ又は複数チップの集積回路で実現してもよいし、コンピュータのプログラムで実現してもよいし、その他どのような形態で実現してもよい。
また、実施の形態において説明した各構成要素は、携帯電話機が有するプロセッサと協働することにより、その機能を実現する。
【０１２１】
（１２）実施の形態において説明した携帯電話機の制御処理（図１２〜１４参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納される
ことにより利用に供され、そのプロセッサがそのプログラムを実行することにより実施の形態で示した携帯電話機の各機能が実現される。
【０１２２】
（１３）実施の形態に係る携帯電話機に、上記（１）〜（１２）の一部又は全部の変形を組み合わせて適用してもよい。
（１４）以下、更に本発明の一実施形態に係る携帯端末の構成及びその変形例と各効果について説明する。
（ａ）本発明の一実施形態に係る携帯端末は、タッチパッド付きの表示面を有する表示パネルと、前記タッチパッドに対する接触操作に応じて、前記表示面を分割してなる複数の表示領域を定める領域管理部と、前記表示面を分割してなる表示領域毎に、画像の表示に係る制御を行う表示制御部とを備え、前記領域管理部は、前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定めることを特徴とする。
【０１２３】
この携帯端末は、タッチパッド上の接触位置に基づいて第２の境界線を決定し、２つの表示領域のうちの一方（対象領域）を、決定した第２の境界線で２分割する。
従って、この携帯端末によれば、表示パネルの表示面が既に２分割されている場合に、更に分割数を増やすことが可能である。
（ｂ）また、前記表示面は略矩形状であり、前記第１の境界線は、前記表示面のいずれかの１辺に対する垂線であり、前記領域管理部は、前記第１の境界線に対する垂線を前記第２の境界線として決定することとしてもよい。
【０１２４】
この携帯端末は、略矩形状の表示面の一辺に対する垂線である第１の境界線で、当該表示面を２分割した２つの表示領域の一方（対象領域）を、第１の境界線に対する垂線である第２の境界線で２分割するので、各表示領域もまた略矩形状になる。従って、この携帯端末によれば、各表示領域が略矩形状でない場合と比較し、表示に係る制御を容易にすることができる。
【０１２５】
（ｃ）また、前記領域管理部は、前記タッチパッド上の接触位置が変化した場合に、当該接触位置の軌跡上において、前記第１の境界線に対する垂線の方向に、当該第１の境界線に対向する前記表示面の一辺から当該第１の境界線までの線分長に対して所定割合となる第１距離以上離れた２点が含まれる表示領域を、前記対象領域とすることとしてもよい。
【０１２６】
この携帯端末によれば、第１距離を適切に設定することにより、ユーザは、タッチパッドに指等を接触させたまま移動させる操作（所謂ドラッグ操作）における移動距離を変化させることで、その操作により対象領域を分割するのか、それ以外の通常のドラッグ操作を行うのかを指定することが可能になる。
（ｄ）また、前記領域管理部は、前記第１の境界線から当該第１の境界線に対向する前記表示面の辺が存在する方向に第２距離内の点及び当該辺から第３距離内の点を、前記第１距離以上離れた２点とすることとしてもよい。
【０１２７】
この携帯端末によれば、第２の距離及び第３の距離を適切に設定することにより、第１の境界線の近傍の位置から、第１の境界線に対向する表示面の辺の近傍の位置まで指等を接触させたまま移動させるという、いわば、表示面を切るような直感的な操作により対象領域を分割することができる。
（ｅ）また、前記領域管理部は、更に前記タッチパッド上の接触位置の軌跡上において、前記第１の境界線に対する垂線の方向に、当該第１の境界線に対向する前記表示面の一辺から、当該一辺に対向する前記表示面の他辺までの線分長に対して所定割合となる、前記第１距離よりも長い距離以上離れた２点が含まれる場合に、前記表示面を第１の境界線で２分割してなる２つの表示領域のうち、前記対象領域とは異なる表示領域に替えて、当該表示領域を前記第２の境界線で２分割してなる２つの領域を第３及び第４の表示領域と定めることとしてもよい。
【０１２８】
この携帯端末によれば、第１距離よりも長い距離を適切に設定することにより、ユーザが、タッチパッドに接触させたまま指等を移動させる操作における移動距離を変化させることで、対象領域だけを２分割するのか、表示面を第１の境界線で２分割してなる２つの表示領域それぞれを２分割するのかを指定することが可能になる。
（ｆ）また、前記領域管理部は、更に前記第１及び第２の表示領域を定めた後において、前記タッチパッドにより検出された接触位置が、前記第２の境界線の少なくとも一部をなぞるように変化した場合に、当該第１及び第２の表示領域に替えて、当該第１及び第２の表示領域を結合した領域を１つの表示領域と定めることとしてもよい。
【０１２９】
この携帯端末によれば、第２の境界線の少なくとも一部をなぞるような簡単な操作（所謂ドラッグ操作）により、第２の境界線で２分割されていた第１及び第２の表示領域を結合できる。
この結果、例えば、第１及び第２の表示領域のうちの１つの表示領域への画像の表示が不要になった場合に、両表示領域を結合した１つの表示領域に、表示が必要な画像を、より大きく表示し得る。
【０１３０】
（ｇ）また、前記表示制御部は、更に前記第１の境界線を前記表示パネルに表示させ、前記領域管理部が、前記第１及び第２の表示領域を定めた際に、前記第２の境界線を前記表示パネルに表示させることとしてもよい。
この携帯端末は、第１の境界線を表示し、対象領域を第２の境界線で分割した際に、この第２の境界線を表示するので、ユーザは、境界線の表示を見ることで、表示面が現在どのように分割されているのかを一目で把握することができる。
【０１３１】
（ｈ）また、前記表示制御部は、更に前記領域管理部が、前記第１及び第２の表示領域を結合した領域を１つの表示領域と定めた際に、表示させていた前記第２の境界線の表示を前記表示パネルに表示させないようにすることとしてもよい。
この携帯端末は、第２の境界線で２分割してなる第１及び第２の表示領域が結合された際に、この第２の境界線を表示しないようにするので、ユーザは、境界線の表示を見ることで、表示面が現在どのように分割されているのかを一目で把握することができる。
【０１３２】
（ｉ）また、前記表示制御部は、前記領域管理部が、前記第１及び第２の表示領域を定めた際に、その直前に、前記対象領域に表示させていた画像の一部又は全体を、前記第１及び第２の表示領域それぞれに表示させるよう前記制御を行うこととしてもよい。
この携帯端末によれば、対象領域に表示されていた画像の大きさが比較的大きい場合に、例えば、その画像の異なる部分を第１及び第２の表示領域それぞれに表示させ得るので、ユーザは、その画像の異なる部分を同時に見ることが可能になる。
【０１３３】
（ｊ）また、前記表示制御部は、前記領域管理部が、前記第１及び第２の表示領域を定めた際に、その直前に、前記対象領域に表示させていた画像の一部又は全部を、前記第１の表示領域に表示させ、前記対象領域に表示させていた画像に関連する画像を、前記第２の表示領域に表示させることとしてもよい。
この携帯端末によれば、ユーザが、対象領域を２分割した１つの領域に、対象領域に表
示されていた画像に関連する画像を表示させたい場合に、対象領域を２分割するための操作を行うだけで、当該表示を行うことができるので、当該表示のための操作負担を軽減できる。
【０１３４】
（ｋ）また、前記表示制御部は、前記領域管理部が、前記第１及び第２の表示領域を定めた後に、当該第１及び第２の表示領域のうちの一方の表示領域内の点から、前記第１の境界線に対する垂線の方向に、当該第１の境界線に対向する前記表示面の一辺から当該第１の境界線までの線分長に対して所定割合となる第１距離未満離れた他方の表示領域内の点まで、前記タッチパッド上の接触位置が変化した場合に、当該変化前に、当該第１及び第２の表示領域に表示させていた画像を、当該変化後に入れ替えて表示させるよう前記制御を行うこととしてもよい。
【０１３５】
この携帯端末によれば、対象領域を分割する際よりも第２の境界線の方向の距離が短くなるように、第１及び第２の表示領域のうちの一方の位置から他方の位置に、指等を接触させたまま移動させるという簡単な操作で、第１及び第２の表示領域に表示されている画像を入れ替えて表示させることができる。
（１５）本発明に係る携帯端末のタッチパッド付の表示面を有する表示パネルは、例えば、実施の形態に係る携帯電話機１００の表示パネル１１０に相当し、本発明に係る携帯端末の領域管理部及び表示制御部は、実施の形態に係る携帯電話機１００の領域管理部１３１及び表示制御部１３３に相当する。
【産業上の利用可能性】
【０１３６】
本発明に係る携帯端末は、表示パネルの表示面を複数の表示領域に分割して、各表示領域に画像を表示させて使用する場合に利用される。
【符号の説明】
【０１３７】
１    筐体
１０    領域管理テーブル
２０    境界線管理テーブル
１００    携帯電話機
１１０    表示パネル
１１１    ＬＣＤ
１１２    タッチパッド
１１３    コントローラ
１２０    記憶部
１３０    制御部
１３１    領域管理部
１３２    アプリケーション実行部
１３３    表示制御部
【図１】
2015165441.tif 000003
【図２】
2015165441.tif 000004
【図３】
2015165441.tif 000005
【図４】
2015165441.tif 000006
【図５】
2015165441.tif 000007
【図６】
2015165441.tif 000008
【図７】
2015165441.tif 000009
【図８】
2015165441.tif 000010
【図９】
2015165441.tif 000011
【図１０】
2015165441.tif 000012
【図１１】
2015165441.tif 000013
【図１２】
2015165441.tif 000014
【図１３】
2015165441.tif 000015
【図１４】
2015165441.tif 000016
【図１５】
2015165441.tif 000017
【手続補正書】
【提出日】平成27年7月27日(2015.7.27)
【手続補正１】
【補正対象書類名】特許請求の範囲
【補正対象項目名】全文
【補正方法】変更
【補正の内容】
【特許請求の範囲】
【請求項１】
タッチパッド付きの表示面を有する表示パネルと、
前記タッチパッドに対する接触操作に応じて、前記表示面を分割してなる複数の表示領域を定める領域管理部と、
前記表示面を分割してなる表示領域毎に、画像の表示に係る制御を行う表示制御部とを備え、
前記領域管理部は、
前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定め、
前記表示制御部は、
前記対象領域が一の機能に係る画像の表示を行う領域である場合に、前記第１の表示領域と前記第２の表示領域との双方を、当該一の機能に係る画像の表示を行う領域であると定めて前記制御を行い、
前記第２の表示領域に、前記第１の表示領域に表示される情報の少なくとも一部が表示されるように前記制御を行う
ことを特徴とする携帯端末。
【請求項２】
前記表示面は略矩形状であり、
前記第１の境界線は、前記表示面のいずれかの１辺に対する垂線であり、
前記領域管理部は、
前記第１の境界線に対する垂線を前記第２の境界線として決定する
ことを特徴とする請求項１記載の携帯端末。
【請求項３】
前記領域管理部は、
前記タッチパッド上の接触位置が変化した場合に、当該接触位置の軌跡上において、前記第１の境界線に対する垂線の方向に、当該第１の境界線に対向する前記表示面の一辺から当該第１の境界線までの線分長に対して所定割合となる第１距離以上離れた２点が含まれる表示領域を、前記対象領域とする
ことを特徴とする請求項２記載の携帯端末。
【請求項４】
前記領域管理部は、
前記第１の境界線から当該第１の境界線に対向する前記表示面の辺が存在する方向に第２距離内の点及び当該辺から第３距離内の点を、前記第１距離以上離れた２点とする
ことを特徴とする請求項３記載の携帯端末。
【請求項５】
前記領域管理部は、更に
前記タッチパッド上の接触位置の軌跡上において、前記第１の境界線に対する垂線の方向に、当該第１の境界線に対向する前記表示面の一辺から、当該一辺に対向する前記表示面の他辺までの線分長に対して所定割合となる、前記第１距離よりも長い距離以上離れた２点が含まれる場合に、前記表示面を第１の境界線で２分割してなる２つの表示領域のうち、前記対象領域とは異なる表示領域に替えて、当該表示領域を前記第２の境界線で２分割してなる２つの領域を第３及び第４の表示領域と定める
ことを特徴とする請求項３記載の携帯端末。
【請求項６】
前記領域管理部は、更に
前記第１及び第２の表示領域を定めた後において、前記タッチパッドにより検出された接触位置が、前記第２の境界線の少なくとも一部をなぞるように変化した場合に、当該第１及び第２の表示領域に替えて、当該第１及び第２の表示領域を結合した領域を１つの表示領域と定める
ことを特徴とする請求項２記載の携帯端末。
【請求項７】
前記表示制御部は、更に
前記第１の境界線を前記表示パネルに表示させ、
前記領域管理部が、前記第１及び第２の表示領域を定めた際に、前記第２の境界線を前記表示パネルに表示させる
ことを特徴とする請求項１記載の携帯端末。
【請求項８】
前記表示制御部は、更に
前記領域管理部が、前記第１及び第２の表示領域を結合した領域を１つの表示領域と定めた際に、表示させていた前記第２の境界線の表示を前記表示パネルに表示させないようにする
ことを特徴とする請求項６記載の携帯端末。
【請求項９】
前記表示制御部は、
前記領域管理部が、前記第１及び第２の表示領域を定めた際に、その直前に、前記対象領域に表示させていた画像の一部又は全体を、前記第１及び第２の表示領域それぞれに表示させるよう前記制御を行う
ことを特徴とする請求項２記載の携帯端末。
【請求項１０】
前記表示制御部は、
前記領域管理部が、前記第１及び第２の表示領域を定めた際に、その直前に、前記対象領域に表示させていた画像の一部又は全部を、前記第１の表示領域に表示させ、前記対象領域に表示させていた画像に関連する画像を、前記第２の表示領域に表示させる
ことを特徴とする請求項２記載の携帯端末。
【請求項１１】
前記表示制御部は、
前記領域管理部が、前記第１及び第２の表示領域を定めた後に、当該第１及び第２の表示領域のうちの一方の表示領域内の点から、前記第１の境界線に対する垂線の方向に、当該第１の境界線に対向する前記表示面の一辺から当該第１の境界線までの線分長に対して所定割合となる第１距離未満離れた他方の表示領域内の点まで、前記タッチパッド上の接触位置が変化した場合に、当該変化前に、当該第１及び第２の表示領域に表示させていた画像を、当該変化後に入れ替えて表示させるよう前記制御を行う
ことを特徴とする請求項９又は１０記載の携帯端末。
【請求項１２】
タッチパッド付きの表示面を有する表示パネルを備える携帯端末における制御方法であって、
前記タッチパッドに対する接触操作に応じて、前記表示面を分割してなる複数の表示領域を定める領域管理ステップと、
前記表示面を分割してなる表示領域毎に、画像の表示に係る制御を行う表示制御ステップとを含み、
前記領域管理ステップは、
前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定め、
前記表示制御ステップは、
前記対象領域が一の機能に係る画像の表示を行う領域である場合に、前記第１の表示領域と前記第２の表示領域との双方を、当該一の機能に係る画像の表示を行う領域であると定めて前記制御を行い、
前記第２の表示領域に、前記第１の表示領域に表示される情報の少なくとも一部が表示されるように前記制御を行う
ことを特徴とする制御方法。
【請求項１３】
タッチパッド付きの表示面を有する表示パネルを備える携帯端末におけるプロセッサに、制御処理を行わせるためのプログラムであって、
前記制御処理は、
前記タッチパッドに対する接触操作に応じて、前記表示面を分割してなる複数の表示領域を定める領域管理ステップと、
前記表示面を分割してなる表示領域毎に、画像の表示に係る制御を行う表示制御ステップとを含み、
前記領域管理ステップは、
前記表示面を第１の境界線で２分割してなる２つの表示領域を定めている場合において、前記タッチパッド上で接触が行われたときに、当該タッチパッド上の接触位置に基づいて、前記第１の境界線上の１点と当該接触位置から所定範囲内の１点とを通る第２の境界線を決定し、当該第２の境界線で、前記２つの表示領域のうちの前記接触位置から所定範囲内の１点を含む対象領域を更に２分割してなる２つの領域を、当該対象領域に替えて、第１及び第２の表示領域と定め、
前記表示制御ステップは、
前記対象領域が一の機能に係る画像の表示を行う領域である場合に、前記第１の表示領域と前記第２の表示領域との双方を、当該一の機能に係る画像の表示を行う領域であると定めて前記制御を行い、
前記第２の表示領域に、前記第１の表示領域に表示される情報の少なくとも一部が表示されるように前記制御を行う
ことを特徴とするプログラム。